(57)【要約】【課題】デッキプレートと吊りボルト間の等電位ボンディング施工を確実に行うことが可能で、装着作業が容易なデッキプレートと吊りボルト間の電気的接続金具を提供する。【解決手段】吊りボルトＲに連結する連結片１０と、該連結片１０から屈曲延長されてデッキプレートＰの下面に圧着して電気的に導通する圧着片２０とを設ける。連結片１０には、吊りボルトＲの側面を挟着する一対の挟着爪１１を設ける。連結片１０の左右両端部から下方に向けて一対の操作片３０を屈曲延長する。該操作片３０の操作で前記一対の挟着爪１１を開閉自在に設ける。吊りボルトＲを介して上下異なった方向に挟着爪１１を屈曲し、吊りボルトＲ側面の上下のネジ山に係止するように設ける。【選択図】  図３
2006185770.tif 000002
【特許請求の範囲】
【請求項１】
デッキプレートの上面からデッキプレートを貫通するインサートを介してデッキプレート下面に懸吊される吊りボルトとデッキプレートとの電気的導通を図る電気的接続金具であって、吊りボルトに連結する連結片と、該連結片から屈曲延長されてデッキプレートの下面に圧着して電気的に導通する圧着片とから成ることを特徴とするデッキプレートと吊りボルト間の電気的接続金具。
【請求項２】
前記連結片には、吊りボルトの側面方向から吊りボルトを挿入せしめる切欠部と、該切欠部に挿入した吊りボルトを挟着する一対の挟着爪とが設けられた請求項請求項１記載のデッキプレートと吊りボルト間の電気的接続金具。
【請求項３】
前記連結片の左右両端部から下方に向けて一対の操作片を屈曲延長し、該操作片の操作で前記一対の挟着爪を開閉自在に設けた請求項１又は２記載のデッキプレートと吊りボルト間の電気的接続金具。
【請求項４】
前記挟着爪は、吊りボルトを介して上下異なった方向に屈曲され、吊りボルト側面の上下のネジ山に係止するように設けられた請求項１乃至３いずれか記載のデッキプレートと吊りボルト間の電気的接続金具。
【発明の詳細な説明】
【技術分野】
【０００１】
本発明は、デッキプレートと吊りボルト間の等電位ボンディングを確実に行うことができるデッキプレートと吊りボルト間の電気的接続金具に関するものである。
【背景技術】
【０００２】
建築構造体の接地方法として等電位ボンディングが注目されている。等電位ボンディングとは、建築空間における金属体を建築構造体（鉄骨・デッキプレート等）へ電気的に接続することで電位差をなくし、落雷等から情報機器を守ることを目的として行われる施工である。ケーブルラックや電気機器等を支持する吊りボルトとデッキプレートとの電気的接続（以下、導通と称する）においても、このような等電位ボンディングが望まれている。
【０００３】
従来使用されているスプリングインサートを利用して、吊りボルトとデッキプレートとの等電位ボンディングを行うことが可能である。例えば、図５に示す如く、デッキプレートＰの上面に装着する樹脂ワッシャーを金属ワッシャー１００に変更することで、この金属ワッシャー１００を介してデッキプレートＰと吊りボルトＲとが接触し、導通を可能にすることができる。
【０００４】
また、デッキプレート下面の吊りボルトに金属ワッシャーを装着し、吊りボルトにネジ止めしたナットを締付けることで導通することも可能である（図示せず）。
【０００５】
一方、特許文献１に、スプリングインサートを利用した他の電気的接続手段が記載されている。この手段によると、デッキプレート下面の吊りボルトに金属スペーサーを装着し、吊りボルトにネジ止めしたナットで、この金属スペーサーをデッキプレートに圧着することで、導通せしめるものである。
【特許文献１】特開２００３−２１４５６２号公報
【発明の開示】
【発明が解決しようとする課題】
【０００６】
スプリングインサートを利用した等電位ボンディング手段において、図５に示すデッキプレートの上面に金属ワッシャーを接地させる構造を採用した場合、デッキプレートの上面にコンクリートを打設した際に、デッキプレートと金属ワッシャーとの間にコンクリートが入り込みやすい状態になっている。このため、これらの間に僅かでもコンクリートが侵入してしまうと、電気的接続が不完全になるおそれがあり、デッキプレートと吊りボルト間の等電位ボンディングを確実に行うことが困難になっていた。
【０００７】
また、デッキプレートの下面に金属ワッシャーを接地させる構造を採用した場合は、吊りボルトにネジ止めしたナットを締付けて、金属ワッシャーをデッキプレートに圧着せしめる作業が不可欠になっている。そのため、作業者は高所でのナット回転作業を行う必要があり、危険が伴う作業になっている。しかも、デッキプレートに断熱材が貼り付けられ、又は吹き付けられた場合は、この金属ワッシャーの圧着のみではデッキプレートとの電気的導通を図ることができなくなる不都合がある。
【０００８】
一方、特許文献１に記載されている電気的接続手段によると、前述したデッキプレートの下面に金属ワッシャーを接地させる構造を採用した場合と同様に、作業者は高所でのナット回転作業を行う必要があり、危険が伴う作業になっている。また、既設の吊りボルトには、機器等が既に取付けられている場合が多く、その都度、吊りボルトに金属スペーサーやナットを装着する手間も要するものである。
【０００９】
そこで、本発明は上述の課題を解消すべく創出されたもので、デッキプレートと吊りボルト間の等電位ボンディング施工を確実に行うことが可能で、しかも、装着作業が極めて容易なデッキプレートと吊りボルト間の電気的接続金具の提供を目的とするものである。
【課題を解決するための手段】
【００１０】
上述の目的を達成すべく本発明における第１の手段は、デッキプレートＰの上面からデッキプレートＰを貫通するインサートＱを介してデッキプレートＰ下面に懸吊される吊りボルトＲとデッキプレートＰとの電気的導通を図る電気的接続金具であって、吊りボルトＲに連結する連結片１０と、該連結片１０から屈曲延長されてデッキプレートＰの下面に圧着して電気的に導通する圧着片２０とから成るものである。
【００１１】
第２の手段において、前記連結片１０には、吊りボルトＲの側面方向から吊りボルトＲを挿入せしめる切欠部１２と、該切欠部１２に挿入した吊りボルトＲを挟着する一対の挟着爪１１とが設けられている。
【００１２】
第３の手段は、前記連結片１０の左右両端部から下方に向けて一対の操作片３０を屈曲延長し、該操作片３０の操作で前記一対の挟着爪１１を開閉自在に設けている。
【００１３】
第４の手段における前記挟着爪１１は、吊りボルトＲを介して上下異なった方向に屈曲され、吊りボルトＲ側面の上下のネジ山に係止するように設けられたことを課題解消のための手段とする。
【発明の効果】
【００１４】
本発明の請求項１により、吊りボルトＲに連結する連結片１０と、該連結片１０から屈曲延長されてデッキプレートＰの下面に圧着する圧着片２０とにより、デッキプレートＰの下面に突出したインサートＱに妨げられずに、デッキプレートと吊りボルト間の等電位ボンディング施工を確実に行うことが可能になった。しかも、デッキプレートＰ下面へ取り付けるため、本発明接続金具の装着の有無で、等電位ボンディング施工の有無を確認することができ、目視での施工確認を可能にしている。更に、地震等の揺れが生じデッキプレートＰを介してインサートＱや吊りボルトＲに伝わっても、この圧着片２０が弾性変形して揺れを吸収するので、吊りボルトＲから外れずに済み、安定した導通効果を維持することが可能である。
【００１５】
請求項２により、連結片１０に設けた挟着爪１１と切欠部１２とによって、吊りボルトＲの側面方向から装着することができるので、既に施工済みの吊りボルトＲに対しても取り付けが可能であり、吊りボルトＲにケーブルラックや機器等が施工されていても本発明接続金具を後付けすることができる。
【００１６】
請求項３では、連結片１０の左右両端部から下方に向けて屈曲延長した一対の操作片３０により、吊りボルトＲの側面を挟着する一対の挟着爪１１を開閉自在に操作できるので、工具を使用せずに片手でもワンタッチで装着でき、高所での作業となる装着作業や取り外し作業が極めて容易である。しかも、操作片３０の操作で圧着片２０を回転自在にできることから、波状のデッキプレートＰに装着する場合でも、この波形状を避けて最も安定する下面に取り付けることができる。
【００１７】
請求項４では、吊りボルトＲ側面の上下のネジ山に係止するように設けられた挟着爪１１により、確実な導通効果を得ることができる。しかも、吊りボルトＲに挟着爪１１を挟着させた後は、この挟着爪１１が吊りボルトＲに沿って上下に移動するのを防止し、この挟着爪１１が吊りボルトＲ側面を覆うように挟着しているので、容易に外れない構造になっている。
【００１８】
このように本発明によると、デッキプレートと吊りボルト間の等電位ボンディング施工を確実に行うことが可能で、しかも、装着作業を極めて容易に行えるなどといった種々の効果を奏するものである。
【発明を実施するための最良の形態】
【００１９】
本発明接続金具の最良の形態は、吊りボルトＲの側面に連結する連結片１０と、該連結片１０から屈曲延長されてデッキプレートＰの下面に圧着して電気的に導通する圧着片２０とを設ける。連結片１０には、吊りボルトＲの側面を挟着する一対の挟着爪１１を設ける。連結片１０の左右両端部から下方に向けて一対の操作片３０を屈曲延長する。該操作片３０の操作で前記一対の挟着爪１１を開閉自在に設けることにより当初の目的を達成するものである。
【実施例】
【００２０】
以下、本発明の一実施例を説明する。本発明接続金具は、吊りボルトＲとデッキプレートＰとの電気的導通を図る電気的接続金具である。インサートＱは、デッキプレートＰの上面からデッキプレートＰを貫通し、このインサートＱを介してデッキプレートＰ下面に吊りボルトＲが懸吊される。本発明接続金具は、この吊りボルトＲとデッキプレートＰとの等電位ボンディングを行う金具であり、連結片１０、圧着片２０、操作片３０を主要構成とする（図３参照）。図示例では、一枚の金属板を打ち抜いてこれら連結片１０、圧着片２０、操作片３０を屈曲し、一体に成形した状態を示している（図１参照）。また、図示例に限らず、各構成部材を別体に形成し、これらを任意に連結して形成することも可能である。
【００２１】
連結片１０は、吊りボルトＲに連結する部材である（図３、図４参照）。図示例の連結片１０には、吊りボルトＲの側面方向から吊りボルトＲを挟着できるように、切欠部１２と挟着爪１１とが設けられている（図４参照）。切欠部１２は、吊りボルトＲの側面方向から吊りボルトＲを挿入せしめるように設けてあり、該切欠部１２に挿入した吊りボルトＲを一対の挟着爪１１が挟着する。また、図示の挟着爪１１の代わりに雌ネジ等を設け、連結片１０を吊りボルトＲにネジ止めすることも可能である。
【００２２】
図示の挟着爪１１は、先端部が二つに割れると共に、吊りボルトＲを介して上下異なった方向に屈曲され、吊りボルトＲの上下のネジ山に係止するように設けられている（図２参照）。このように挟着爪１１を形成することで、吊りボルトＲの側面を覆うように挟着することができるので、取付け後、水平方向に何らかの外力が作用しても容易に外れない構成になっている。
【００２３】
圧着片２０は、該連結片１０から屈曲延長されてデッキプレートＰの下面に圧着することで、デッキプレートＰに導通するように設けられている（図３参照）。この圧着片２０は、正面逆ハの字形状に形成され、この圧着片２０の弾性力でデッキプレートＰに圧着せしめるものである。
【００２４】
操作片３０は、前記連結片１０の左右両端部から下方に向けた一対の部材であり、この操作片３０の操作で挟着爪１１を開閉することを可能にしている。図示例では、連結片１０に連続する板状の圧着片２０から切り起こして操作片３０を形成し、操作片３０と圧着片２０と連結片１０とが連続するもので、この操作片３０が正面略ハの字形状を成している。このように操作片３０と圧着片２０と連結片１０とを一体に形成することで、操作片３０の操作で連結片１０の挟着爪１１と圧着片２０とを開閉すると共に、本発明連結金具をデッキプレートＰの下面に押し当てる際に、圧着片２０の弾性力を操作片３０で適度に調整することも可能になる。
【００２５】
本発明接続金具を使用するには、まず、操作片３０を把持して操作片３０の間隔を狭めることで、連結片１０の挟着爪１１を開き傾向にし、この状態で、挟着爪１１間に吊りボルトＲを通す（図２参照）。この後、そのまま吊りボルトＲ上方に持ち上げて圧着片２０をデッキプレートＰに押し当てる。最後に操作片３０から手指を離すと、圧着片２０の弾性力で連結片１０の挟着爪１１が閉じ、吊りボルトＲのネジ山間に挟着爪１１の先端が食い込むものである（図３参照）。この結果、吊りボルトＲとデッキプレートＰとが等電位ボンディング状態となる。
【００２６】
尚、本発明は、図示例に限定されるものではなく、各構成の寸法や形状等の設計変更、および材質の変更など任意に行えるものであり、本発明の要旨を変更しない範囲において自由に変更できるものである。
【図面の簡単な説明】
【００２７】
【図１】本発明の一実施例を示す斜視図である。
【図２】本発明を装着する状態を示す正面図である。
【図３】本発明の装着状態を示す正面図である。
【図４】本発明の連結片を示す要部斜視図である。
【図５】従来の電気的接続例を示す要部拡大正面図である。
【符号の説明】
【００２８】
Ｐ  デッキプレート
Ｑ  インサート  
Ｒ  吊りボルト
１０  連結片
１１  挟着爪
１２  切欠部
２０  圧着片
３０  操作片
【図１】
2006185770.tif 000003
【図２】
2006185770.tif 000004
【図３】
2006185770.tif 000005
【図４】
2006185770.tif 000006
【図５】
2006185770.tif 000007